(57)【特許請求の範囲】
【請求項１】
半導体型光源と、リフレクタと、レンズと、を備え、
前記半導体型光源は、下向きもしくは上向きの発光面を有し、
前記リフレクタは、反射面を有し、
前記レンズは、複数の領域に区画されていて、
前記レンズのうち少なくとも、下辺もしくは上辺は、車両の正面視において、車両の内側から外側にかけて、車両の下側から上側にあるいは車両の上側から下側に傾斜していて、
前記領域は、車両の正面視において、偶数の多角形の形状をなし、かつ前記下辺もしくは前記上辺に平行な第１方向と前記第１方向に直交するピッチ線に平行な第２方向とに複数並んで配置され、
前記領域の偶数多角形形状は、上下に対向する２辺を有し、上下に対向する前記２辺の間隔が等間隔であり、
複数の前記領域の左右のピッチ線は、前記レンズの下辺もしくは上辺に対して垂直であり、
前記レンズの下辺もしくは上辺の一部と、複数の前記領域のうちの一部の下辺もしくは上辺とは、合致する、
ことを特徴とする車両用前照灯。
【請求項２】
前記発光面が下向きの場合には、前記レンズの下辺の一部と複数の前記領域のうちの一部の下辺とが合致し、もしくは、前記発光面が上向きの場合には、前記レンズの上辺の一部と複数の前記領域のうちの一部の上辺とが合致する、
ことを特徴とする請求項１に記載の車両用前照灯。
【発明の詳細な説明】
【技術分野】
【０００１】
この発明は、半導体型光源とリフレクタと複数の領域を有するレンズとを備える車両用前照灯に関するものである。
【背景技術】
【０００２】
この種の車両用前照灯は、従来からある（たとえば、特許文献１）。以下、従来の車両用前照灯について説明する。
【０００３】
特許文献１の従来の車両用前照灯は、ＬＥＤと、リフレクタと、第一のレンズカット部と第２のレンズカット部を有するレンズと、を備えるものである。ＬＥＤを点灯させると、ＬＥＤからの光がリフレクタで反射して、その反射光が第一のレンズカット部から集束された配光パターンとしてまた第二のレンズカット部から拡散された配光パターンとして車両の前方に照射される。
【０００４】
ここで、車両用前照灯ではないが、レンズ、反射面、光源、を備える車両用灯具（特許文献２、特許文献３）について説明する。
【０００５】
特許文献２の従来の車両用灯具は、第１レンズカットが形成されている第１レンズ部と第２レンズカットが形成されている第２レンズ部とが交互に配置されているレンズ、反射面、光源を備えるものである。光源を点灯させると、光源からの光が反射面で反射して、その反射光が第１レンズから左右方向に拡散された配光パターンとしてまた第２レンズから左右方向に拡散された配光パターンとして照射される。
【０００６】
特許文献３の従来の車両用灯具は、レンズカットが形成されているレンズ体とリフレクタと光源とを備えるものである。光源を点灯させると、光源からの光がリフレクタで反射して、その反射光がレンズ体から広角に拡散された配光パターンとして照射される。
【先行技術文献】
【特許文献】
【０００７】
【特許文献１】特許第４８９５８３１号公報
【特許文献２】特開２０１０−１６５４８５号公報
【特許文献３】特開２０１０−１１８２５４号公報
【発明の概要】
【発明が解決しようとする課題】
【０００８】
かかる車両用前照灯および車両用灯具においては、車体デザイン上から、レンズの下辺あるいは上辺あるいは上下両辺が、車両の正面視において、車両の内側から外側にかけて、車両の下側から上側にあるいは車両の上側から下側に傾斜している場合がある。この場合において、レンズカット部の形状がレンズの下辺あるいは上辺あるいは上下両辺で不規則になる場合がある。レンズカット部の形状が不規則になると、レンズカット部から照射される配光パターンの配光制御が影響される場合がある。特に、車両用前照灯において、配光パターンのうちスポット部を形成するレンズカット部の形状が不規則となると、影響が大きくなり、レンズカット部の配光制御設計を補正する必要がある場合がある。
【０００９】
この発明が解決しようとする課題は、従来の車両用前照灯では、レンズカット部の形状が不規則になって配光パターンの配光制御が影響される場合があるという点にある。
【課題を解決するための手段】
【００１０】
この発明（請求項１にかかる発明）は、半導体型光源と、リフレクタと、レンズと、を備え、半導体型光源が下向きもしくは上向きの発光面を有し、リフレクタが反射面を有し、レンズが複数の領域に区画されていて、レンズのうち少なくとも、下辺もしくは上辺が、車両の正面視において、車両の内側から外側にかけて、車両の下側から上側にあるいは車両の上側から下側に傾斜していて、領域が偶数の多角形の形状をなし、領域の偶数多角形形状が、上下に対向する２辺を有し、上下に対向する前記２辺の間隔が等間隔であり、複数の領域の左右のピッチ線が、レンズの下辺もしくは上辺に対して垂直であり、レンズの下辺もしくは上辺の一部と、複数の領域のうちの一部の下辺もしくは上辺とは、合致する、ことを特徴とする。
【００１１】
この発明（請求項２にかかる発明）は、発光面が下向きの場合には、レンズの下辺の一部と複数の領域のうちの一部の下辺とが合致し、もしくは、発光面が上向きの場合には、レンズの上辺の一部と複数の領域のうちの一部の上辺とが合致する、ことを特徴とする。
【発明の効果】
【００１２】
この発明の車両用前照灯は、レンズのうち発光面と対向する辺の一部と複数の領域のうちの一部であって発光面と対向する辺とが合致するので、レンズのうち発光面と対向する辺において、複数の領域のうちの一部の形状が規則正しい形状となる。これにより、領域の形状の不規則による配光パターンの配光制御の影響をなくすことができる。特に、配光パターンのうちスポット部を形成する領域の形状を規則正しい形状にすることにより、配光パターンの配光制御に影響がなく、領域の配光制御設計を補正する必要がない。
【図面の簡単な説明】
【００１３】
【図１】図１は、この発明にかかる車両用前照灯の実施形態１を示し、左右両側の車両用前照灯を搭載した車両の平面図である。
【図２】図２は、左側のランプユニットを示す斜視図である。
【図３】図３は、左側のランプユニットを示す正面図である。
【図４】図４は、図３におけるＩＶ−ＩＶ線断面図である。
【図５】図５は、複数の領域の左右のピッチ線がレンズの下辺に対して垂直である場合のレンズを示す正面説明図である。
【図６】図６は、複数の領域の左右のピッチ線が水平線に対して垂直である場合のレンズを示す正面説明図である。
【図７】図７は、車両の前方に照射されるロービーム用配光パターン、ハイビーム用配光パターンを示す説明図である。
【図８】図８は、この発明にかかる車両用前照灯の実施形態２を示し、下辺が曲線であるレンズの一部を示す正面説明図である。
【図９】図９は、この発明にかかる車両用前照灯の実施形態３を示し、領域が正八角形の形状をなすレンズの一部を示す正面説明図である。
【発明を実施するための形態】
【００１４】
以下、この発明にかかる車両用前照灯の実施形態（実施例）を図面に基づいて詳細に説明する。なお、この実施形態によりこの発明が限定されるものではない。この明細書および特許請求の範囲において、前、後、上、下、左、右は、この発明にかかる車両用前照灯を車両に搭載した際の前、後、上、下、左、右である。
【００１５】
図面において、符号「Ｆ」は、車両の前側（車両の前進方向側）を示す。符号「Ｂ」は、車両の後側を示す。符号「Ｕ」は、ドライバー側から前側を見た上側を示す。符号「Ｄ」は、ドライバー側から前側を見た下側を示す。符号「Ｌ」は、ドライバー側から前側を見た場合の左側を示す。符号「Ｒ」は、ドライバー側から前側を見た場合の右側を示す。また、符号「ＶＵ−ＶＤ」は、スクリーンの上下の垂直線を示す。スクリーンの左側とは、上下の垂直線ＶＵ−ＶＤより左側を言う。スクリーンの右側とは、上下の垂直線ＶＵ−ＶＤより右側を言う。符号「ＨＬ−ＨＲ」は、スクリーンの左右の水平線を示す。
【００１６】
図７は、コンピュータシミュレーションにより作図されたスクリーン上の配光パターンを簡略化して示す等光度曲線の説明図であって、中央の等光度曲線は、高光度帯であって、その他の曲線は、外に行くにしたがって低くなる光度帯である。
【００１７】
（実施形態１の構成の説明）
以下、この実施形態１における車両用前照灯の構成について説明する。図１中、符号１Ｌ、１Ｒは、この実施形態１における車両用前照灯（たとえば、ヘッドランプなど）である。前記車両用前照灯１Ｌ、１Ｒは、左側通行用の車両Ｃの前部の左右両端部に搭載されている。以下、車両Ｃの左側Ｌに搭載される左側の車両用前照灯１Ｌについて説明する。なお、車両Ｃの右側Ｒに搭載される右側の車両用前照灯１Ｒは、左側の車両用前照灯１Ｌとほぼ同様の構成をなすので、説明を省略する。
【００１８】
（車両用前照灯１Ｌの説明）
前記車両用前照灯１Ｌは、図２〜図４に示すように、ランプハウジング（図示せず）と、ランプレンズ（図示せず）と、第１半導体型光源（ロービーム用半導体型光源）２、図示しない第２半導体型光源（ハイビーム用半導体型光源）と、第１リフレクタ（ロービーム用リフレクタ）３、図示しない第２リフレクタ（ハイビーム用リフレクタ）と、レンズ４と、ヒートシンク部材５と、カバー部材６と、を備えるものである。
【００１９】
前記第１半導体型光源２、前記第２半導体型光源、前記第１リフレクタ３、前記第２リフレクタ、前記レンズ４、前記ヒートシンク部材５、前記カバー部材６は、ランプユニットを構成する。前記ランプハウジングおよび前記ランプレンズは、灯室（図示せず）を画成する。前記ランプユニット２、３、４、５、６は、前記灯室内に配置されていて、かつ、上下方向用光軸調整機構（図示せず）および左右方向用光軸調整機構（図示せず）を介して前記ランプハウジングに取り付けられている。
【００２０】
（第１半導体型光源２の説明）
前記第１半導体型光源２は、図４に示すように、この例では、たとえば、ＬＥＤ、ＥＬ（有機ＥＬ）などの自発光半導体型光源である。前記第１半導体型光源２は、発光チップ（ＬＥＤチップ）２０と、前記発光チップ２０を封止樹脂部材で封止したパッケージ（ＬＥＤパッケージ）と、前記パッケージを実装した基板２１と、前記基板２１に取り付けられていて前記発光チップ２０に電源（バッテリー）からの電流を供給するコネクタ２２と、から構成されている。前記基板２１は、スクリュー（図示せず）により、前記ヒートシンク部材５に固定されている。この結果、前記第１半導体型光源２は、前記ヒートシンク部材５に固定されている。
【００２１】
前記発光チップ２０は、平面矩形形状（平面長方形状）をなす。すなわち、４個の正方形のチップを図示しないＸ軸方向（水平方向）に配列してなるものである。なお、２個もしくは３個もしくは５個以上の正方形のチップ、あるいは、１個の長方形のチップ、あるいは、１個の正方形のチップ、を使用しても良い。前記発光チップ２０の長方形の下側Ｄの面（下面）は、発光面をなす。この結果、前記発光面は、下側Ｄに向いている。前記発光チップ２０の前記発光面の中心Ｏは、前記第１リフレクタ３の基準焦点Ｆ１もしくはその近傍に位置し、かつ、前記第１リフレクタ３の基準光軸（基準軸）Ｚ上もしくはその近傍に位置する。
【００２２】
図４において、Ｙ、Ｚは、直交座標（Ｘ−Ｙ−Ｚ直交座標系）を構成する。図示しないＸ軸は、前記発光チップ２０の前記発光面の中心Ｏを通る左右方向の水平軸である。前記Ｘ軸は、車両Ｃの内側、すなわち、この実施形態１において、右側Ｒが＋方向であり、車両Ｃの外側、すなわち、この実施形態１において、左側Ｌが−方向である。また、前記Ｙ軸は、前記発光チップ２０の前記発光面の中心Ｏを通る上下方向の鉛直軸（垂直軸、法線、垂線）である。前記Ｙ軸は、この実施形態１において、上側Ｕが＋方向であり、下側Ｄが−方向である。さらに、前記Ｚ軸は、前記第１リフレクタ３の基準光軸Ｚであり、前記発光チップ２０の前記発光面の中心Ｏを通り、かつ、前記Ｘ軸および前記Ｙ軸と直交する前後方向の軸である。前記Ｚ軸は、この実施形態１において、前側Ｆが＋方向であり、後側Ｂが−方向である。図５、図６において、Ｘ１は、前記Ｘ軸に平行な水平軸である。また、Ｙ１は、前記Ｙ軸に平行な鉛直軸である。
【００２３】
前記第２半導体型光源は、前記第１半導体型光源２とほぼ同様の構成をなすので、前記第２半導体型光源の構成の詳細な説明を省略する。なお、前記第２半導体型光源の発光チップの発光面は、下側に向いている。また、前記第２半導体型光源の発光光量は、前記第１半導体型光源２の発光光量よりも少ない。さらに、前記第２半導体型光源は、前記第１半導体型光源２よりも車両Ｃの内側（右側Ｒ）に位置する。
【００２４】
（第１リフレクタ３の説明）
前記第１リフレクタ３は、図４に示すように、反射部３０と、取付部（図示せず）と、から構成されている。前記取付部は、スクリュー（図示せず）により、前記ヒートシンク部材５に固定されている。この結果、前記第１リフレクタ３は、前記ヒートシンク部材５に固定されている。前記反射部３０の前側Ｆの面（内面）には、ひとつの連続面で形成された反射面３２が設けられている。
【００２５】
前記反射面３２は、パラボラ系の自由曲面からなる反射面である。この結果、前記反射面３２（前記第１リフレクタ３）は、前記基準焦点Ｆ１および前記基準光軸Ｚを有する。前記反射面３２は、前記第１半導体型光源２からの光を、斜めカットオフラインと水平カットオフラインとエルボー点（斜めカットオフラインと水平カットオフラインとの交点もしくはその近傍の点）とを有する第１基本配光パターン（ロービーム用基本配光パターン、図示せず）として反射させる自由曲面の反射面である。
【００２６】
前記第２リフレクタは、前記第１リフレクタ３とほぼ同様の構成をなすので、前記第２リフレクタの構成の詳細な説明を省略する。なお、前記第２リフレクタは、前記第２半導体型光源からの光を、図示しない高光度帯を有する第２基本配光パターン（ハイビーム用基本配光パターン、図示せず）として反射させる自由曲面の反射面を有する。また、前記第２リフレクタは、前記第１リフレクタ３よりも車両Ｃの内側（右側Ｒ）に位置する。
【００２７】
（レンズ４の説明）
前記レンズ４は、図２〜図６に示すように、正面視長方形形状をなすレンズ部４０と、取付部（図示せず）と、から構成されている。前記取付部は、スクリュー（図示せず）により、前記ヒートシンク部材５に固定されている。この結果、前記レンズ４は、前記ヒートシンク部材５に固定されている。前記レンズ４と前記第１リフレクタ３、前記第２リフレクタとの間の前後方向の距離は、小さい。
【００２８】
前記レンズ部４０は、複数の領域４２（プリズム、プリズムカット、カット、プリズム面、プリズムカット面、カット面）４２に区画されているレンズ（薄肉レンズ、プリズムレンズ）である。前記レンズ４の前記レンズ部４０は、車両Ｃの正面視において、車両Ｃの内側（右側Ｒ）から外側（左側Ｌ）にかけて車両Ｃの下側Ｄから上側Ｕに傾斜（スラント）している（つり上がっている）。
【００２９】
すなわち、前記レンズ４のうち少なくとも、前記第１半導体型光源２および前記第２半導体型光源の前記発光面が下向きの場合には下辺は、車両Ｃの正面視において、車両Ｃの内側（右側Ｒ）から外側（左側Ｌ）にかけて車両Ｃの下側Ｄから上側Ｕに傾斜している。前記レンズ４の上辺は、下辺と平行であり、下辺と同じく、車両Ｃの正面視において、車両Ｃの内側（右側Ｒ）から外側（左側Ｌ）にかけて車両Ｃの下側Ｄから上側Ｕに傾斜している。この結果、前記レンズ４の上下両辺は、水平線（前記水平軸Ｘ１）に対して角度θ分傾斜している。前記レンズ４の上下両辺は、直線をなす。
【００３０】
前記レンズ４の前記レンズ部４０の内面（後側Ｂの面）には、入射面４５が設けられている。前記レンズ４の前記レンズ部４０の外面（前側Ｆの面）には、出射面４６が設けられている。前記入射面４５は、平面もしくは複合２次曲面をなす。前記出射面４６は、複数の前記領域４２であって、凸状自由曲面をなす。なお、前記領域４２（前記出射面４６）は、前記の凸状自由曲面（凸面）以外に、平面（素通し）、凸面あるいは平面の一部に凹面を設けたものであっても良い。
【００３１】
前記レンズ４の前記レンズ部４０は、第１レンズ部（ロービーム用レンズ部）と、第２レンズ部（ハイビーム用レンズ部）と、から一体に構成されている。前記第２レンズ部は、前記第１レンズ部よりも車両Ｃの内側（右側Ｒ）に位置する。
【００３２】
前記第１レンズ部は、前記第１リフレクタ３の前記反射面３２に対応して設けられている。前記第１レンズ部は、前記第１リフレクタ３の前記反射面３２からの前記第１基本配光パターンを、図７（Ａ）に示す第１配光パターンすなわちロービーム用配光パターンＬＰとして配光制御して車両Ｃの前方に照射するレンズ部である。前記ロービーム用配光パターンＬＰは、斜めカットオフラインＣＬ１と水平カットオフラインＣＬ２とエルボー点Ｅ（斜めカットオフラインＣＬ１と水平カットオフラインＣＬ２との交点もしくはその近傍の点）とを有する。
【００３３】
前記第２レンズ部は、前記第２リフレクタの前記反射面に対応して設けられている。前記第２レンズ部は、前記第２リフレクタの前記反射面からの前記第２基本配光パターンを、図７（Ｂ）に示す第２配光パターンＰ２として配光制御して車両Ｃの前方に照射するレンズ部である。前記第２配光パターンＰ２は、高光度帯（ホットゾーン）ＨＺを有する。前記ロービーム用配光パターンＬＰと前記第２配光パターンＰ２とを重畳（合成）することにより、図７（Ｃ）に示すハイビーム用配光パターンＨＰが得られる。
【００３４】
（レンズ４の領域４２の説明）
複数の前記凸状自由曲面すなわち前記領域４２（前記出射面４６）は、図２〜図４に示すように、偶数の多角形の形状、この実施形態１において、正六角形の形状をなす。前記領域４２の正六角形形状は、上下に対向する２辺を有し、上下に対向する前記２辺の間隔が等間隔すなわち平行である。
【００３５】
複数の前記領域４２の左右のピッチ線Ｐは、前記第１半導体型光源２および前記第２半導体型光源の前記発光面が下向きの場合には前記レンズ４の下辺に対して垂直である。前記レンズ４の下辺の一部と、複数の前記領域４２のうちの一部（図５中の実線で示されている前記領域４２）の下辺とは、合致する。また、前記レンズ４のうち上辺の一部と、複数の前記領域４２のうちの一部（図５中の実線で示されている前記領域４２）の上辺とは、合致する。
【００３６】
（ヒートシンク部材５の説明）
前記ヒートシンク部材５は、図２〜図４に示すように、水平板部５０と、フィン部５１と、取付部と、シェード部５３と、から構成されている。前記水平板部５０の一面（下側Ｄの面）には、前記第１半導体型光源２および前記第２半導体型光源および前記第１リフレクタ３および前記第２リフレクタが前記スクリューにより取り付けられている。
【００３７】
前記水平板部５０の他面（上側Ｕの面）には、複数枚の垂直板形状の前記フィン部５１が一体に設けられている。前記フィン部５１は、前記第１半導体型光源２の前記発光チップ２０、前記第２半導体型光源の前記発光チップで発生する熱を外部に放出するものである。
【００３８】
前記水平板部５０の一面の前側Ｆの縁の左右両端部には、前記取付部が一体に設けられている。前記取付部には、前記レンズ４が前記スクリューにより取り付けられている。
【００３９】
前記水平板部５０の一面の前側Ｆの縁の中央部には、前記シェード部５３が一体に設けられている。前記シェード部５３は、前記第１半導体型光源２の前記発光面からの光が前記レンズ４の前記レンズ部４０に直接入射するのを防ぐものである。
【００４０】
（カバー部材６の説明）
前記カバー部材６は、図２〜図４に示すように、前側Ｆの部分が閉塞し、かつ、後側Ｂの部分が開口した中空状のカバー形状をなす。前記カバー部材６は、光不透過性部材から構成されている。
【００４１】
前記カバー部材６の前側Ｆの部分には、長方形形状をなす挿入開口部６０が設けられている。前記挿入開口部６０には、前記レンズ４の前記レンズ部４０が挿入されている。前記カバー部材６の前側Ｆの部分の前記挿入開口部６０の内側の左右両側の縁には、取付部が一体に設けられている。前記取付部は、前記レンズ４の前記取付部に取り付けられている。この結果、前記カバー部材６は、前記レンズ４を介して前記ヒートシンク部材５に固定されている。前記カバー部材６の後側Ｂの開口部の上下の縁の中央部には、通気開口部６２が設けられている。
【００４２】
（実施形態１の作用の説明）
この実施形態１における車両用前照灯１Ｌ、１Ｒは、以上のごとき構成からなり、以下、その作用について説明する。
【００４３】
第１半導体型光源２の発光チップ２０を点灯する。すると、発光チップ２０の発光面から放射される光の大部分は、第１リフレクタ３の反射面３２でレンズ４側に反射される。
【００４４】
反射面３２で反射された反射光は、斜めカットオフラインと水平カットオフラインとエルボー点とを有する第１基本配光パターン（図示せず）に配光制御されて、レンズ４の第１レンズ部を、入射面４５から出射面４６へと、透過する。第１レンズ部から出射する出射光は、図７（Ａ）に示すように、斜めカットオフラインＣＬ１と水平カットオフラインＣＬ２とエルボー点Ｅとを有するロービーム用配光パターンＬＰに配光制御されて車両Ｃの前方に照射される。
【００４５】
また、第２半導体型光源の発光チップを点灯する。すると、発光チップの発光面から放射される光の大部分は、第２リフレクタの反射面でレンズ４側に反射される。
【００４６】
反射面で反射された反射光は、高光度帯を有する第２基本配光パターン（図示せず）に配光制御されて、レンズ４の第２レンズ部を、入射面４５から出射面４６へと、透過する。第２レンズ部から出射する出射光は、図７（Ｂ）に示すように、高光度帯（ホットゾーン）ＨＺを有する第２配光パターンＰ２に配光制御されて車両Ｃの前方に照射される。
【００４７】
図７（Ａ）に示すロービーム用配光パターンＬＰと、図７（Ｂ）に示す第２配光パターンＰ２とを重畳（合成）することにより、図７（Ｃ）に示すハイビーム用配光パターンＨＰが得られる。
【００４８】
（実施形態１の効果の説明）
この実施形態１における車両用前照灯１Ｌ、１Ｒは、以上のごとき構成および作用からなり、以下、その効果について説明する。
【００４９】
この実施形態１における車両用前照灯１Ｌ、１Ｒは、図５に示すように、レンズ４の下辺の一部と、複数の領域４２のうちの一部の下辺とが合致するので、レンズ４の下辺において、複数の領域４２の形状が規則正しい形状となる。すなわち、レンズ４の下辺と図５中の実線で示されている領域４２の下辺とは、合致するので、レンズ４の下辺において、図５中の実線で示されている領域４２の形状が規則正しい形状となる。また、レンズ４の下辺と図５中の破線で示されている領域４２の左右の頂角を結ぶ線分とは、合致する。すなわち、レンズ４の下辺が図５中の破線で示されている領域４２を２等分するので、レンズ４の下辺において、図５中の破線で示されている領域４２の形状が２等分の規則正しい形状となる。
【００５０】
ここで、下辺が複数の領域４２０の下辺と合致しないレンズ４００について図６を参照して説明する。前記レンズ４００においては、複数の前記領域４２０の左右のピッチ線Ｐ１が水平線（Ｘ軸）に対して垂直である。このために、前記レンズ４００においては、前記レンズ４００の下辺と複数の前記領域４２０の下辺とが合致しない。これにより、前記レンズ４００の下辺において、前記領域４２０の形状が不規則になる。
【００５１】
これに対して、この実施形態１における車両用前照灯１Ｌ、１Ｒは、図５に示すように、複数の領域４２の左右のピッチ線Ｐをレンズ４の下辺に対して垂直とするものである。このために、レンズ４の下辺と領域４２の下辺とが合致するものである。これにより、レンズ４の下辺において、領域４２の形状が規則正しくなるものである。
【００５２】
これにより、領域４２の形状の不規則による配光パターンの配光制御の影響をなくすことができる。特に、配光パターンのうちスポット部、たとえば、ロービーム用配光パターンＬＰのうちのエルボー点Ｅ付近の部分を形成する領域４２の形状を規則正しい形状にすることにより、配光パターンの配光制御に影響がなく、たとえば、迷光の発生がなく、領域４２の配光制御設計を補正する必要がない。
【００５３】
この実施形態１における車両用前照灯１Ｌ、１Ｒは、図５に示すように、レンズ４の上辺と複数の領域４２のうちの一部の上辺が合致するので、複数の領域４２のうちの一部の形状が規則正しい形状となる。すなわち、レンズ４の上辺と図５中の実線で示されている領域４２の上辺とは、合致するので、レンズ４の上辺において、図５中の実線で示されている領域４２の形状が規則正しい形状となる。また、レンズ４の上辺と図５中の破線で示されている領域４２の左右の頂角を結ぶ線分とは、合致する。すなわち、レンズ４の上辺が図５中の破線で示されている領域４２を２等分するので、レンズ４の上辺において、図５中の破線で示されている領域４２の形状が２等分の規則正しい形状となる。これにより、見栄えが向上される。
【００５４】
（実施形態２の説明）
図８は、この発明にかかる車両用前照灯の実施形態２を示す。以下、この実施形態２における車両用前照灯について説明する。図中、図１〜図７と同符号は、同一のものを示す。
【００５５】
前記の実施形態１における車両用前照灯１Ｌ、１Ｒは、レンズ４の下辺が直線をなすものである。これに対して、この実施形態２の車両用前照灯は、レンズ４０１の下辺が曲線をなすものである。すなわち、複数の領域４２１の左右のピッチ線Ｐ１１をレンズ４０１の曲線下辺に対して垂直とする。領域４２１の下辺をレンズ４０１の曲線下辺に合わせて曲線としてレンズ４０１の曲線下辺に合致させるものである。領域４２１の上辺を領域４２１の下辺と等間隔となるように曲線とするものである。
【００５６】
この実施形態２における車両用前照灯は、以上のごとき構成からなるので、前記の実施形態１における車両用前照灯１Ｌ、１Ｒとほぼ同様の作用効果を達成することができる。
【００５７】
（実施形態３の説明）
図９は、この発明にかかる車両用前照灯の実施形態３を示す。以下、この実施形態３における車両用前照灯について説明する。図中、図１〜図８と同符号は、同一のものを示す。
【００５８】
前記の実施形態１、２における車両用前照灯１Ｌ、１Ｒは、レンズ４、４０１の領域４２、４２１が正六角形状をなすものである。これに対して、この実施形態３の車両用前照灯は、レンズ４０２の領域４２２が正八角形をなすものである。なお、この実施形態３の車両用前照灯においては、正八角形の領域４２２と、正八角形の領域４２２の１辺を１辺とするひし形の領域４２３からなる。
【００５９】
この実施形態３における車両用前照灯は、以上のごとき構成からなるので、前記の実施形態１、２における車両用前照灯１Ｌ、１Ｒとほぼ同様の作用効果を達成することができる。
【００６０】
（実施形態１、２、３以外の例の説明）
この実施形態１、２、３においては、車両Ｃが左側通行の場合の車両用前照灯１Ｌ、１Ｒについて説明するものである。ところが、この発明においては、車両Ｃが右側通行の場合の車両用前照灯にも適用することができる。
【００６１】
また、この実施形態１、２、３においては、第１半導体型光源２の発光チップ２０の発光面および第２半導体型光源の発光チップの発光面が下側Ｄに向いているものである。ところが、この発明においては、第１半導体型光源２の発光チップ２０の発光面および第２半導体型光源の発光チップの発光面が上側Ｕに向いているものであっても良い。ここで、第１半導体型光源２の発光チップ２０の発光面および第２半導体型光源の発光チップの発光面が上向きの場合においては、レンズのうち少なくとも上辺が、車両の正面視において、車両の内側から外側にかけて、車両の下側から上側にあるいは車両の上側から下側に傾斜している。複数の領域の左右のピッチ線は、レンズの上辺に対して垂直である。レンズの上辺の一部と、複数の領域のうちの一部の上辺とは、合致する。なお、レンズの下辺の一部と複数の領域のうちの一部の下辺とが合致していても良い。
【００６２】
さらに、この実施形態１、２、３においては、レンズ４の出射面４６が複数の領域４２、４２１、４２２、４２３をなすものである。ところが、この発明においては、レンズ４の入射面４５が複数の領域４２、４２１、４２２、４２３をなすものであっても良いし、レンズ４の出射面４６および入射面４５が複数の領域４２、４２１、４２２、４２３をなすものであっても良い。
【００６３】
さらにまた、この実施形態１、２、３においては、レンズ４の入射面４５が平面もしくは複合２次曲面をなし、レンズ４の出射面４６が複数の領域４２、４２１、４２２、４２３であって、凸状自由曲面をなすものである。ところが、この発明においては、レンズ４の入射面４５が複数の領域４２、４２１、４２２、４２３であって、凸状自由曲面をなし、レンズ４の出射面４６が平面もしくは複合２次曲面をなすものであっても良い。
【００６４】
さらにまた、この実施形態１、２、３においては、第１半導体型光源２および第１リフレクタ３およびレンズ４の第１レンズ部により、図７（Ａ）に示すロービーム用配光パターンＬＰを照射し、第２半導体型光源および第２リフレクタおよびレンズ４の第２レンズ部により、図７（Ｂ）に示す高光度帯（ホットゾーン）ＨＺを有する第２配光パターンＰ２を照射して、図７（Ａ）に示すロービーム用配光パターンＬＰと図７（Ｂ）に示す第２配光パターンＰ２とを重畳（合成）して図７（Ｃ）に示すハイビーム用配光パターンＨＰを称するものである。ところが、この発明においては、ロービーム用配光パターンＬＰのみを照射するもの、あるいは、フォグランプ用配光パターンを照射するもの、あるいは、カットオフラインを有する配光パターンを照射するものであってもよい。
【００６５】
さらにまた、この実施形態１、２、３においては、レンズ４、４０１、４０２の下辺（またはおよび上辺）と、複数の領域４２、４２１、４２２の下辺（またはおよび上辺）とを合致するものである。ところが、この発明においては、配光パターンのうちスポット部、たとえば、ロービーム用配光パターンＬＰのうちのエルボー点Ｅ付近の部分を形成する領域４２、４２１、４２２のみの下辺（またはおよび上辺）とレンズ４、４０１、４０２の下辺（またはおよび上辺）とを合致させるだけであってもよい。
【符号の説明】
【００６６】
１Ｌ  左側の車両用前照灯
１Ｒ  右側の車両用前照灯
２  第１半導体型光源
２０  発光チップ
２１  基板
２２  コネクタ
３  第１リフレクタ
３０  反射部
３２  反射面
４、４００、４０１、４０２  レンズ
４０  レンズ部
４２、４２０  領域
４５  入射面
４６  出射面
５  ヒートシンク部材
５０  水平板部
５１  フィン部
５３  シェード部
６  カバー部材
６０  挿入開口部
６２  通気開口部
Ｃ  車両
Ｆ  前側
Ｂ  後側
Ｕ  上側
Ｄ  下側
Ｌ  左側（車両外側）
Ｒ  右側（車両内側）
ＨＬ−ＨＲ  スクリーンの左右の水平線
ＶＵ−ＶＤ  スクリーンの上下の垂直線
ＬＰ  ロービーム用配光パターン
ＣＬ１  斜めカットオフライン
ＣＬ２  水平カットオフライン
Ｅ  エルボー点
Ｐ２  第２配光パターン
ＨＺ  高光度帯（ホットゾーン）
ＨＰ  ハイビーム用配光パターン
Ｆ１  リフレクタの基準焦点
Ｏ  発光面の中心
Ｐ、Ｐ１、Ｐ１１  ピッチ線
Ｙ  Ｙ軸
Ｚ  リフレクタの基準光軸（Ｚ軸）
Ｘ１  Ｘ軸に平行な水平軸
Ｙ１  Ｙ軸に平行な鉛直軸
θ  レンズの上下両辺の傾斜角度
【図１】
0005949086.tif 000002
【図２】
0005949086.tif 000003
【図３】
0005949086.tif 000004
【図４】
0005949086.tif 000005
【図５】
0005949086.tif 000006
【図６】
0005949086.tif 000007
【図７】
0005949086.tif 000008
【図８】
0005949086.tif 000009
【図９】
0005949086.tif 000010